(57)【要約】【課題】  痛みを感じることなく、また、特別なテクニックを要せずに、誰でも簡単に実施できる顔のマッサージ方法を提供すること。【解決手段】  コルクボールを用いた顔のマッサージ方法であって、次の各マッサージ（１）〜（３）、  （１）顎中央から、耳下前への往復運動によるマッサージ、    （２）口角から耳の前への往復運動によるマッサージ、  （３）頬の中央部、頬骨の下縁のへこみの部分を圧迫するマッサージをそれぞれ少なくとも１回行うことを特徴とする顔のマッサージ方法。【選択図】  図１
2011062296.tif 000002
【特許請求の範囲】
【請求項１】
コルクボールを用いた顔のマッサージ方法であって、次の各マッサージ（１）〜（３）、
（１）顎中央から、耳下前への往復運動によるマッサージ、  
（２）口角から耳の前への往復運動によるマッサージ、
（３）頬の中央部、頬骨の下縁のへこみ部分を圧迫し、その後、こめかみへの往復運動によるマッサージをそれぞれ少なくとも１回行うことを特徴とする顔のマッサージ方法。
【請求項２】
（１）および（２）のマッサージを複数回交互に行った後、（３）のマッサージを行う請求項１記載の顔のマッサージ方法。
【請求項３】
更に、次の頭部のマッサージ（４）および（５）、
（４）コメカミ付近のツボである太陽を、コルクボールでやや強めに圧迫するマッサー
ジ、
（５）コメカミか毛髪の生え際から、側頭筋に沿って放射状にコルクボールを回転させ
るように往復運動させるマッサージ
を組み合わせる請求項１または２記載のマッサージ方法。
【請求項４】
更に、次の頭部のマッサージ（６）ないし（８）
（６）コメカミ付近を、コルクボールを小さく回転するように圧迫するマッサージ、
（７）上耳介筋を、コルクボールを小さく回転するように圧迫するマッサージ、
（８）完骨（耳下後部）付近を、コルクボールを小さく回転するように圧迫するマッサ
ージ、
を組み合わせる請求項１ないし３のいずれかの項記載のマッサージ方法。
【請求項５】
請求項１ないし４のいずれかの項記載のマッサージ方法が記載された媒体とコルクボールを収納する容器体から成るマッサージ用具セット。
【発明の詳細な説明】
【技術分野】
【０００１】
本発明は顔のマッサージ方法に関し、更に詳細には、コルクボールを用いることで、効率的に顔の筋肉をマッサージすることができ、血行を促進し、皮膚のくすみやむくみの改善・防止、疲労回復等に有効な顔のマッサージ方法に関する。
【背景技術】
【０００２】
疲労等が重なって行くと、顔面の筋肉が緊張したり、くすみ、むくみが発生するなどの現象が生じることは、よく知られている。また、顔の皮膚には、加齢と共にたるみやシワの発生が認められるようになるが、女性にとってはこのようなたるみやシワをなくし、若いときと同様な皮膚を維持するということは、永遠の願望である。
【０００３】
従来、マッサージにより、顔面の筋肉の疲労部位の緊張を解き放ち、むくみを解消したり、顔の皮膚のたるみやシワをなくす手段として、種々のマッサージ方法が提唱されている（特許文献１ないし３）。また、これらのマッサージ方法に中には、種々の器具を利用する技術も知られている（特許文献４ないし６）。
【０００４】
しかしながら、特許文献１ないし３の方法は、顔筋を強くマッサージするため痛かったり、また、正しい力で目的の顔筋をマッサージする必要があるため、施術方法が難しく、テクニックを要するという問題があった。また、特許文献４ないし６の技術は、特殊な器具を使用するものであるため、簡単に実施できるというものではなかった。
【先行技術文献】
【特許文献】
【０００５】
【特許文献１】特開２０００−１１９１５７
【特許文献２】特開２００１−３７５４２
【特許文献３】特開２００８−２９５７３
【特許文献４】実用新案登録第３０６５６１５号
【特許文献５】実開平５−１３４３０
【特許文献６】特許第２５４１６７６号
【発明の概要】
【発明が解決しようとする課題】
【０００６】
従って、痛みや冷たさ等の不快感を感じることなく、また、特別なテクニックを要せずに、誰でも簡単に顔のマッサージを実施することのできる技術が求められており、このような方法の提供が本発明の課題である。
【課題を解決するための手段】
【０００７】
本発明者らは、特に顔面のツボの位置や、筋肉の配置を考慮した上で、血行促進、皮膚のくすみ、むくみ防止等に有効な顔のマッサージ法を確立すべく、鋭意検討を行った結果、適切な大きさのコルクボールを用い、特定の順序、方向で、顔の表面をマッサージすることにより、優れたマッサージ効果が得られ、顔の筋肉をリラックスさせて疲労から回復し、更に血行が促進され、くすみやむくみ等も改善・防止し得ることを見出し、本発明を完成した。
【０００８】
すなわち本発明は、コルクボールを用いた顔のマッサージ方法であって、次の各マッサージ（１）〜（３）
（１）顎中央から、耳下前への往復運動によるマッサージ、
（２）口角から耳の前への往復運動によるマッサージ、
（３）頬の中央部、頬骨の下縁のへこみ部分を圧迫し、その後、こめかみへの往復運動
によるマッサージ
をそれぞれ少なくとも１回行うことを特徴とする顔のマッサージ方法である。
【発明の効果】
【０００９】
本発明方法によれば、だれでも簡単に、痛みを感じることなく、顔のマッサージを行うことが可能となる。
【図面の簡単な説明】
【００１０】
【図１】本発明の顔のマッサージ方法でのマッサージの部位および方向を示す図面である。
【図２】本発明の顔のマッサージ方法に組み合わせることのできる頭部マッサージの部位およびその方向を示す図面である。
【図３】被施術者が睡眠不足による血行不良や、視神経の疲れを感じているような場合に、本発明の顔のマッサージ方法に組み合わせることのできるマッサージの部位およびその方向を示す図面である。
【図４】本発明の、マッサージ方法が記載された媒体と、マッサージに用いるコルクボールとを組み合わせたマッサージ用具セットの一態様を示す図面である。
【図５】図４のマッサージ用具セットの使用態様を示す図面である。
【発明を実施するための形態】
【００１１】
本発明の顔のマッサージ方法においては、コルクボールを用いる。このコルクボールは
、コルクガシの樹皮のコルク組織を剥離して得た弾力性に富む素材であるコルクを球状に
加工したものである。このコルクボールの大きさは、その直径が、２〜７ｃｍ程度であり
、施術にあたっての使用性からは、３〜５ｃｍのものが好ましく、４ｃｍ前後のものがよ
り好ましい。
【００１２】
また、このコルクボール自体の物性としては、その密度が１５０〜６００ｋｇ／ｍ３程度、熱伝導率が０.０３５〜０.０６５程度であるものが好ましい。
【００１３】
上記のコルクボールを用いる顔のマッサージは、基本的に、
（１）顎中央から、耳下前への往復運動によるマッサージ、
（２）口角から耳の前への往復運動によるマッサージ、
（３）頬の中央部、頬骨の下縁のへこみ部分を圧迫し、その後、こめかみへの往復運動
によるマッサージ、
をそれぞれ少なくとも１回行うことが必要である。
【００１４】
本発明のマッサージを行うに当たっては、これに先立ち、必要に応じてその部位に適した化粧料を塗布したり、顔面の疲労蓄積箇所（コリ）を確認する。この化粧料の好ましい例としては、パウダーや美容液といった、油分配合量の少ない化粧料等を挙げることができる。乳液、クリーム、オイルといった油分量の多い化粧料を使用する際は、塗布後、化粧料が肌に馴染み、肌の状態が落ち着いて、べたつきなどがない事を確かめた後に使用することが好ましい。
【００１５】
このような化粧料は、油分の配合量を２質量％以下に抑えたものが望ましく、また、配合される界面活性剤がリン脂質由来の界面活性剤によって乳化されたものであれば油感を然程感じることなく肌の状態を整えることができ好ましい。
【００１６】
次いで、これも必須ではないが、顔面の疲労蓄積箇所を確認するため、初めにコルクを転がしながら筋肉の硬い部位を探すことが好ましい。この操作により見出した、疲労した部位については、特に入念にマッサージを行うことが好ましい。また、コルクボールを２個用い、左右同時に行っても良い。
【００１７】
具体的なマッサージ方法は、これを行う方向、部位を示す図１（但し、右半面しか示していない）に基づき説明を行う。まず、（１）のマッサージは、コルクボールを転がす感じで、図１に（１）で示した、顎中央から、顎骨近辺のツボである「大迎(たいげい)」、「頬車（きょうしゃ）」を通り、耳下前のツボである「えい風（えいふう）」までのラインの往復運動として行う。
【００１８】
また、（２）のマッサージも、コルクボールを転がす感じで、図１の（２）で示した、口角から耳の前のツボである「聴宮（ちょうきゅう）」への往復運動として行う。
【００１９】
上記の（１）および（２）のマッサージは、それぞれの往復運動を、１クールあたり、少なくとも１回、好ましくは２回以上、より好ましくは３〜６回程度ずつ行うと良く、これらを交互に繰り返しながら行うことが好ましく、また、徐々に力の入れ方を強くして行くことが好ましい。
【００２０】
上記のようにして、顔面の神経や筋肉がリラックスしてきたら、（３）のマッサージを行う。この（３）のマッサージは、図１の（３）で示すように、まず、最初にコルクボールで頬の中央部、頬骨の下縁のへこみ部分「下関（げかん）」というツボ部分をやや強めに圧迫するものである。このマッサージは、３〜５秒程度圧迫することにより行えばよい。その後、こめかみへの往復運動を行う。この場合も1クールあたり、少なくとも１回、好ましくは２回以上、より好ましくは３〜６回程度ずつ行うと良い。
【００２１】
本発明のマッサージは、上記の、（１）および（２）のマッサージを交互に行い、最後に（３）のマッサージを行うことを基本とするが、これを何回か繰り返し行っても良く、疲労蓄積が大きい部分については、その部分のマッサージを更に行っても良い。なお、上記（１）ないし（３）のマッサージにおいて、コルクボールの転がし方は、それぞれ、単に真直ぐ往復させても良いし、軽く螺旋を描きながら往復させても良い。
【００２２】
以上説明した顔面のマッサージは、それ単独で行っても良いが、必要により、コルクボールを用いた頭部（側頭部）マッサージと組み合わせてもよい。この頭部マッサージは、図２に示すように、
（４）コメカミ付近のツボである「太陽」を、コルクボールでやや強めに圧迫するマッ
サージ、
（５）コメカミか毛髪の生え際から、側頭筋に沿って放射状にコルクボールを回転させ
るように往復運動させるマッサージ
の組み合わせによって行うことができる。
【００２３】
このマッサージも、疲労蓄積の多い部分は、念入りにマッサージを行うことが好ましく、上記（５）のマッサージにおいて、コルクボールは、単に真直ぐ転がして往復させても良いし、軽く螺旋を描くように転がしながら往復させても良い。
【００２４】
また、被施術者が睡眠不足による血行不良や、視神経の疲れを感じているような場合は、上記の頭部マッサージに代え、あるいは頭部マッサージと共に、図３に示すような、
（６）コメカミ付近を、コルクボールを小さく回転するように圧迫するマッサージ、
（７）上耳介筋を、コルクボールを小さく回転するように圧迫するマッサージ、および
（８）完骨（耳下後部）付近を、コルクボールを小さく回転するように圧迫するマッサ
ージ、
を組み合わせて行っても良い。
【００２５】
以上説明した本発明のマッサージ方法は、被施術者本人が行っても良いし、他の誰かに施術してもらっても良い。この本発明のマッサージ方法により、疲労を取り去ると共に皮膚のたるみや、シワをなくしたり、少なくすることができるが、これはコルクボールの有する性質を利用した、「転がす」、「回転する」、「圧迫する」という操作によるものである。すなわち、コルクボールの素材であるコルクは、適度な硬さ（弾力性）と木質特有の温もり感を有するものであるため、プラスチックや金属、石等の球状物とは異なる心地よさやリラックス感を皮膚に与えることができる。
【００２６】
そして、これを用いて顔面のツボや、疲労の蓄積した筋肉をマッサージして刺激することにより、筋肉の緊張をほぐし、血行や代謝の促進を図ることができるのである。
また、更に頭部のマッサージを併せて行うと、特に目の周りの血行促進効果に優れ、視神経の疲れが改善され、高いマッサージ効果が得られるものである。
【００２７】
なお、本発明のマッサージ方法を容易に行うためには、上記のマッサージ方法が記載された媒体と、マッサージに用いるコルクボールとを組み合わせたマッサージ用具セットを用いることが好ましい。
【００２８】
上記マッサージ用具セットにおける、マッサージ方法が記載された媒体としては、特に限定はなく、マッサージに用いるコルクボールを収納する箱等の容器そのものを媒体として用い、これに直接マッサージ方法が記載されたものであっても、別途媒体としてカードや説明書を利用し、これにマッサージ方法を記載されたものであっても良い。
【００２９】
このようなマッサージ用具セットの好ましい一態様を図４および図５に示す。図中、１０１はマッサージ用具セット、１０２は外箱、１０３は内箱、１０４はカード立て用隙間、１０５はコルクボール、１０６は説明カード（媒体）、１０７は上部紙片を示す。
【００３０】
図４に示すように、この態様のマッサージ用具セット１０１は、コルクボール１０５を収納した内箱１０３と、これを収納する外箱１０２から形成される。内箱１０３の一部は、上部紙片１０７で覆われている。この上部紙片１０７には、カード立て用隙間１０４が設けられており、ここに説明カード１０６を挟むことが可能である。また、外箱１０２は中箱に収納されたコルクボール１０５がよく見えるように、透明なプラスチック製のものであることが好ましい。また、コルクボール１０５の収納数は１個でも良いが、複数個であることが好ましく、その球径も異なるものとし、使用に適したものを選択できるようにすることが好ましい。
【００３１】
上記マッサージ用具セット１０１の使用は、まず、図４に示すように、外箱１０２から内箱１０３を引き出し、これに収納されていたコルクボール１０５および説明カード１０６を取り出す。次いで、図５に示すように、取り出した説明カード１０６を、内箱１０３の奥側に設けられた上部紙片１０７のカード立て用隙間１０４に差し込み、立てる。そして、この差し込んだ説明カード１０６を見ながら、コルクボール１０５を使いながら本発明のマッサージ方法を行うのである。
【実施例】
【００３２】
次に実施例を挙げ、本発明を更に詳しく説明するが、本発明はこれら実施例に何ら制約されるものではない。
【００３３】
実  施  例  １
顔面及び側頭部マッサージ：
コルクボールとして、直径４ｃｍの真球状のもの（密度が１５０〜６００ｋｇ／ｍ３）のものを用い、下記順序で顔面のマッサージを行った。なお、対照として、ほぼ同じ直径を有するゴルフボール（タイトリスト社製  プロＶ１）、樹脂製のボール（テックジャム社製  プラスチックボールＳＡＮ６９２２）を用いたマッサージも行った。
【００３４】
［  マッサージ手順  ］
マッサージは、以下の手順で行い、それぞれのボールを用いたときの使用性、実効果について比較、評価を行った。
図１のマッサージを1クール６回ずつ
図２のマッサージを２回ずつ
図３のマッサージを1回ずつ
【００３５】
［  結  果  ］  
上記方法によりマッサージを行った結果、コルクボールによるマッサージは、木のもつ温かみが肌に触れた場合に心地よく、適度に軽いのでマッサージ時の腕の負担が少ないものであった。さらに、コルク材特有の適度な弾力性の為、力の入れ具合をコントロールしやすく、顔の筋肉の浅い部分のみならず、深い部分にも働きかけることが出来、心地のよいものであった。
【００３６】
一方、ゴルフボールを用いた場合は、肌に触れた際の冷たさ、硬さが心地よいものではなく痛みを感じることもあり、筋肉の浅い部分のみに刺激を与えるだけで、肌の深部にまで効果を感じるような十分なマッサージ効果が得られなかった。また、樹脂製のボールを用いた場合は、重量が軽すぎるため、却って力の強弱のコントロールが難しく、過剰な力が必要であったり、顔周辺の髪の毛に巻きついたり、上滑りしてしまい、マッサージの動きをスムーズに行うことが出来ず、十分なマッサージ効果が得られなかった。
【００３７】
実  施  例  ２
顔面マッサージ及び側頭部のマッサージ：
コルクボールとして、直径４ｃｍの真球状のもの（密度が１５０〜６００ｋｇ／ｍ３）のものを用い、下記順序で顔面のマッサージを行った。
被験者に２０代〜４０代の健康な女性１０名を選び、普段どおりに過ごした日の夕方以降に図１のマッサージを1クール３回ずつ行ってもらった。
【００３８】
この時点で、下記の５項目について下記３段階判定基準による官能評価をしてもらい、さらに図２、図３のマッサージをそれぞれ３回ずつ行い、同じく下記５項目について下記３段階判定基準による官能評価をしてもらった。また、マッサージをしたことにより感じたことをフリーアンサーで答えてもらった。
【００３９】
＜評価項目＞
（項目１）マッサージ中、気持ちよさを感じた
（項目２）マッサージをしたことで、スッキリ感が得られた
（項目３）マッサージをしたことで、目の疲れが解消された
（項目４）マッサージをしたことで、筋肉の疲労（コリ）がほぐれた
（項目５）マッサージをしたことで、血行の循環が良くなったと感じた
【００４０】
＜判定基準＞
○：大変そう感じた
△：やや感じた
×：あまり感じなかった／却って悪くなった
【００４１】
［  結  果  ］  
＜図１のマッサージを行った時点での評価結果＞
（項目１）  ○：９名、  △：１名、  ×：０名
（項目２）  ○：７名、  △：３名、  ×：０名
（項目３）  ○：３名、  △：７名、  ×：０名
（項目４）  ○：９名、  △：１名、  ×：０名
（項目５）  ○：８名、  △：２名、  ×：０名
【００４２】
＜更に、図２、図３のマッサージを行った結果＞
（項目１）  ○：９名、  △：１名、  ×：０名
（項目２）  ○：８名、  △：２名、  ×：０名
（項目３）  ○：９名、  △：１名、  ×：０名
（項目４）  ○：９名、  △：１名、  ×：０名
（項目５）  ○：９名、  △：１名、  ×：０名
【００４３】
また、この他に「視界が明るくなった」、「目の渇きが改善された」といったマッサージ効果に関する感想が得られた。
【００４４】
上記結果から明らかなように、コルクボールを利用する本発明の顔面マッサージは、顔の筋肉の緊張をほぐし、血行や代謝を促す効果の高いもので、皮膚のくすみやむくみ防止効果の得られるマッサージ方法であった。また、更に本発明の側頭部マッサージを併せて行うことで、特に目の周りの血行が促され目の渇きや視神経の疲れが改善され、より高いマッサージ効果が得られることが分かった。
【産業上の利用可能性】
【００４５】
本発明のコルクボールを利用するマッサージ方法は、顔の筋肉の緊張をほぐし、血行や代謝を促す優れた効果を有し、皮膚のくすみやむくみ防止効果の得られるマッサージ方法である。
【００４６】
従って、自分自身でこのマッサージを行ったり、美容院等でこのマッサージを行ってもらうことにより、美容効果や、疲れの回復効果を得ることができるものである。
【符号の説明】
【００４７】
１０１ … … マッサージ用具セット
１０２ … … 外箱
１０３ … … 内箱
１０４ … … カード立て用隙間
１０５ … … コルクボール
１０６ … … 説明カード（媒体）
１０７ … … 上部紙片
【図１】
2011062296.tif 000003
【図２】
2011062296.tif 000004
【図３】
2011062296.tif 000005
【図４】
2011062296.tif 000006
【図５】
2011062296.tif 000007